(57)【要約】【課題】  軽量で、十分な強度を有し、かつ踏込んだ際の触感がよい床タイルを提供すること。【解決手段】  底面４の周縁に、全周に亘って連続し、かつ下方に向けて突出する突条５を立設するとともに、該突条５によって画成される中央部底面４に、前記突条５と同一高さの複数個の突起８を、ほぼ等間隔に立設させている床タイルとした。【選択図】        図２
0003103191.tif 000002
【実用新案登録請求の範囲】
【請求項１】
底面周縁に、全周に亘って連続し、下方に向けて突出する突条を立設するとともに、該突条によって画成される中央部底面に、前記突条と同一高さの複数個の突起を、ほぼ等間隔に立設させたことを特徴とする、床タイル。
【請求項２】
前記突条の下端面内縁と底面とを、斜面によって連結したことを特徴とする、請求項１に記載の床タイル。
【請求項３】
前記突起を、截頭錐体形に形成したことを特徴とする、請求項１または２に記載の床タイル。
【請求項４】
前記突起を、截頭紡錘体形に形成したことを特徴とする、請求項１または２に記載の床タイル。
【請求項５】
前記突起の基部と前記底面との会合部を、湾曲面に形成したことを特徴とする、請求項１〜４のいずれかに記載の床タイル。
【請求項６】
前記床タイルの全体を、ゴムによって形成したことを特徴とする、請求項１〜５のいずれかに記載の床タイル。
【請求項７】
前記床タイルの全体を、廃ゴムを破砕したチップをバインダーによって結合して形成したことを特徴とする、請求項６に記載の床タイル。
【請求項８】
前記廃ゴムは、ゴムタイヤであることを特徴とする、請求項７に記載の床タイル。
【請求項９】
前記ゴムに、破砕した貝殻を混在させたことを特徴とする、請求項６〜８のいずれかに記載の床タイル。
【考案の詳細な説明】
【技術分野】
【０００１】
本考案は、床タイルに関するもので、特に、ベランダ，バルコニー，テラス，屋上等に敷設するのに適した床タイルに関するものである。
【背景技術】
【０００２】
床タイルとしては、全体的に均一な厚みで、底面に複数本の排水溝が形成されているものがある（例えば、特許文献１参照）。
この床タイルは、溝が平行に形成されているため、一方向に湾曲し易く、材質が脆い場合には、運搬に際して割れる虞がある。また、排水溝の深さが浅い場合は、軽量化は期待できず、深い場合は、表面の撓み易い部分が線状になるため、踏込んだ際の触感が悪くなる。
【特許文献１】特開２０００−１３６５０３号公報（図１，図２）
【考案の開示】
【考案が解決しようとする課題】
【０００３】
本考案は、上記した背景技術が有する実情に鑑みて、軽量で、十分な強度を有し、かつ踏込んだ際の触感がよい床タイルを提供することを課題とする。
【課題を解決するための手段】
【０００４】
上記した課題を解決するため、請求項１の床タイルでは、底面周縁に、全周に亘って連続し、下方に向けて突出する突条を立設するとともに、該突条によって画成される中央部底面に、前記突条と同一高さの複数個の突起を、ほぼ等間隔に立設させている。
【０００５】
また、請求項２の床タイルでは、上記請求項１の考案において、上記突条の下端面内縁と底面とを、斜面によって連結している。
【０００６】
更に、請求項３の床タイルでは、上記請求項１または２の考案において、上記突起を、截頭錐体形に形成している。
【０００７】
また、請求項４の床タイルでは、上記請求項１または２の考案において、上記突起を、截頭紡錘体形に形成している。
【０００８】
更に、請求項５の床タイルでは、上記請求項１〜４のいずれかの考案において、上記突起の基部と上記底面との会合部を、湾曲面に形成している。
【０００９】
また、請求項６の床タイルでは、上記請求項１〜５のいずれかの考案において、床タイルの全体を、ゴムによって形成している。
【００１０】
更に、請求項７の床タイルでは、上記請求項６の考案において、床タイルの全体を、廃ゴムを破砕したチップをバインダーによって結合させて形成している。
【００１１】
また、請求項８の床タイルでは、上記請求項７の考案において、上記廃ゴムを、ゴムタイヤとしている。
【００１２】
更に、請求項９の床タイルでは、上記請求項６〜８のいずれかの考案において、上記ゴムに、破砕した貝殻を混在させている。
【考案の効果】
【００１３】
上記した請求項１の考案によれば、底面と接地面間に空間部が形成されるので、軽量化が図れ、しかも、底面周縁全周に亘って立設された突条が接地されるので、床タイルの周縁部の強度が確保される。また、底面中央部にほぼ等間隔に立設された突起が接地されるので、床タイルの中央部における撓み易い部分が均等に分布され、踏込んだ際の触感が、全面に亘って均一になる。
【００１４】
また、上記した請求項２の考案によれば、突条が強化され、突条の厚みが徐々に薄くなって底面に連続するので、突条と底面との境界部に対応する床タイルの表面を踏込んだ際の触感がほぼ均一になる。
【００１５】
更に、上記した請求項３の考案によれば、突起が強化され、突起の厚みが徐々に薄くなって底面に連続するので、突起と底面との境界部に対応する床タイルの表面を踏込んだ際の触感がほぼ均一になる。
【００１６】
また、上記した請求項４の考案によれば、突起がより強化される。
【００１７】
更に、上記した請求項５の考案によれば、突起がさらに強化され、床タイルの表面を踏込んだ際の触感がさらに均一になる。
【００１８】
また、上記した請求項６の考案によれば、ゴムの弾力性によって、踏込み感がソフトなものとなる。
【００１９】
更に、上記した請求項７の考案によれば、廃材を利用するので、廃品のリサイクルになり、かつ安価に得られる。
【００２０】
また、上記した請求項８の考案によれば、廃タイヤのリサイクルになり、より安価に得られる。
【００２１】
また、上記した請求項９の考案によれば、貝殻の有効利用が図れ、意匠的にも変化に富んだ床タイルが得られる。
【考案を実施するための最良の形態】
【００２２】
以下に、上記した本考案に係る床タイルを、図面を参照しながら詳細に説明する。
図１は、本考案に係る床タイルを概念的に示した斜視図、図２は、その床タイルの底面を上にして示した概念的な斜視図、図３は、図２に示した床タイルをＡ−Ａ線に沿って切断した部分の拡大斜視図である。
【００２３】
図示した床タイル１は、廃タイヤを破砕したチップ（白抜きで示す）２に、同じく破砕したホタテ貝の貝殻（黒色で示す）３を少量混ぜ、それらをバインダーによって結合させて成形したものである。
【００２４】
この床タイル１は、図２に示したように、底面４の周縁に、全周に亘って連続して下方に向けて突条５が立設されている。この突条５は、図３から明らかなように、接地面（突条の下端面）５ａの内縁から底面４に向けて傾斜面６が形成され、底面４との会合部が、湾曲（Ｒ）面７によって形成されている。
なお、図３においては、傾斜面６が平面によって形成されているが、湾曲面であってもよい。
【００２５】
また、この床タイル１は、図２に示したように、突条５によって画成される底面４の中央部に、複数個の突起８が形成されている。このそれぞれの突起８は、ほぼ等間隔に配置され、図３から明らかなように、接地面８ａが平面を成す、截頭紡錘体形に形成され、底面４との会合部が、湾曲（Ｒ）面９によって形成されている。
なお、図３においては、突起８が截頭紡錘体形に形成されているが、截頭錐体形、例えば、円錐台形，角錐台形であってもよい。
【００２６】
また、この床タイル１は、廃タイヤを２〜６ｍｍ程度の大きさに破砕したチップ２に、同様の大きさに破砕したホタテ貝の貝殻３を少量混ぜ、それらにバインダーを加えて混練し、これを下型のキャビティ内に充填し、そこに上型を嵌入させ、熱を加えながら圧縮することによって成形される。その際に、上記した突条５および突起８は、上型によって成形される。
【００２７】
上記のようにして形成された本考案に係る床タイル１は、ベランダ，バルコニー，テラス，屋上等の床に敷設される。
そして、この床タイル１が床に敷設された状態においては、突条５の接地面５ａおよび突起８の接地面８ａが床に接地され、上面１０の縁部を踏込むことによる押下力は、突条５によって受止められ、上面１０の中央部を踏込むことによる押下力は、突起８によって受止められる。そして、上記突条５および突起８は、底面４との会合部の断面積が大きく形成されているので、表面１０の全面に亘って均一な弾力性を有し、均一な触感が得られる。
【００２８】
なお、チップ２および貝殻３の大きさは、成形性を考慮すると、２〜６ｍｍ程度が好
ましく、強度を考慮して、それらをバインダーによって隙間なく密接させることが好ま
しい。
また、突起８の数は、１０ｃｍ×１０ｃｍ角内に、９個程度形成することが好ましく、また、底面４における突起８間の間隙は、できるだけ小さくすることが好ましい。
【００２９】
以上、本考案に係る床タイルの実施の形態を説明したが、本考案は、何ら既述の実施の形態に限定されず、実用新案登録請求の範囲に記載した本考案の技術的思想の範囲内において、種々の変形及び変更が可能であることは当然である。
【図面の簡単な説明】
【００３０】
【図１】本考案に係る床タイルを概念的に示した斜視図である。
【図２】本考案に係る床タイルの底面を上にして示した概念的な斜視図である。
【図３】図２のＡ−Ａ線に沿って切断した部分の拡大斜視図である。
【符号の説明】
【００３１】
１      床タイル
２      チップ
３      貝殻
４      底面
５      突条
５ａ    接地面
６      傾斜面
７      湾曲（Ｒ）面
８      突起
８ａ    接地面
９      湾曲（Ｒ）面
１０    上面
【図１】
0003103191.tif 000003
【図２】
0003103191.tif 000004
【図３】
0003103191.tif 000005